(57)【特許請求の範囲】
【請求項１】
眼内レンズをプランジャによって押し出して眼内に挿入する眼内レンズ用インジェクタのレンズホルダであって、
眼内レンズのレンズ本体をセットする載置部を有し、前記載置部にセットされた前記レンズ本体を先端側に押し出す前記プランジャの挿入口が基端側に形成されるホルダ本体と、
前記ホルダ本体の内部における前記載置部と前記挿入口の間であって前記プランジャの移動経路に設けられ、前記プランジャが先端側に移動すると該プランジャの形状に追従して変形する弾性部材と、
を備える眼内レンズ用インジェクタのレンズホルダ。
【請求項２】
前記弾性部材は、
前記ホルダ本体における前記載置部が配置される面から突出し、前記プランジャの移動方向に直交する方向の一側に形成される第１規制部材と、
前記ホルダ本体における前記載置部が配置される面から突出し、前記プランジャの移動方向に直交する方向の他側に形成される第２規制部材と、
を有し、
前記第１規制部材及び前記第２規制部材は、前記載置部が配置される面から離れるにつれて互いに近づくように形成されるとともに、移動方向に直交する方向で前記プランジャを挟むように配置される請求項１に記載の眼内レンズ用インジェクタのレンズホルダ。
【請求項３】
前記弾性部材は、
前記第１規制部材の先端側に配置され、先端側を向く面を有する第１壁部と、
前記第２規制部材の先端側に配置され、先端側を向く面を有する第２壁部と、
を更に有する請求項２に記載の眼内レンズ用インジェクタのレンズホルダ。
【請求項４】
前記弾性部材は、
前記ホルダ本体における前記載置部が配置される面とは反対側の面から突出し、その先端が前記プランジャの移動方向の一側又は他側の何れかに曲がった状態で前記プランジャに接触する請求項１に記載の眼内レンズ用インジェクタのレンズホルダ。
【請求項５】
前記載置部と前記挿入口の間であって前記プランジャの移動経路に設けられ、前記レンズホルダの底部から前記プランジャの移動方向に直交する方向で突出する底部側支持部材を更に備える請求項１から４までの何れか一項に記載の眼内レンズ用インジェクタのレンズホルダ。
【請求項６】
請求項１から５までの何れか一項に記載の前記レンズホルダと、
前記レンズホルダが先端に配置され、筒状に形成される本体と、
前記本体に挿入され、前記本体の先端側に形成される開口部から前記レンズホルダにセットされた眼内レンズを先端側に押し出すプランジャと、
を備える眼内レンズ用インジェクタ。
【請求項７】
前記プランジャは、
前記眼内レンズに接触する接触部を有する先端部と、
前記先端部の基端側に接続され、前記先端部よりも幅広な扁平に形成される扁平部と、
前記プランジャの軸方向に沿って前記先端部から前記扁平部にかけて形成され、前記扁平部では扁平面から突出する被規制部と、
を有し、
前記開口部は、
前記扁平部の形状に応じて開口された中央開口部と、
前記被規制部の形状に応じて前記中央開口部の端面から前記扁平部の厚み方向に突出するように形成される規制部と、
を有し、
前記被規制部は、前記接触部が前記眼内レンズに接触を開始する前の初期位置から接触するまでの間は少なくとも前記規制部に規制されるように、その軸方向の長さが設定される請求項６に記載の眼内レンズ用インジェクタ。
【発明の詳細な説明】
【技術分野】
【０００１】
本発明は、眼内レンズ用インジェクタのレンズホルダの構造に関する。
【背景技術】
【０００２】
従来から、眼内の白濁した水晶体を人工の眼内レンズに入れ替える白内障手術において、レンズホルダにセットされた眼内レンズを本体に挿入されたプランジャで押し出して眼内に送り込む眼内レンズ用インジェクタが用いられている。眼内レンズ用インジェクタでは、プランジャの先端が適切な位置から外れた状態で眼内レンズに接触すると眼内レンズの挿入が適切に行われないおそれがあるため、プランジャの姿勢を制御するための軸ブレ防止構造を設けることがある。
【０００３】
この種の眼内レンズ用インジェクタを開示するものとして、特許文献１〜３がある。特許文献１には、レンズホルダの天井から底面に向かって形成される１対の柱状に形成された軸出部によって、プランジャの左右方向の軸ブレを防止する構造が開示されている。特許文献２には、眼内レンズの挿入器具において、眼内レンズが該傾斜開口部から次第に露出されるに従って、該摺接部に及ぼされる当接力を次第に増大させる構成が開示されている。特許文献３には、眼内レンズの挿入器具において、挿入筒部の先端から眼内レンズが眼球内に放出される時点またはその後に、器具本体へのプランジャの押し込み抵抗を増加させる抵抗増加手段をさらに備える構成が開示されている。
【先行技術文献】
【特許文献】
【０００４】
【特許文献１】特開２０１０−２７３９８５号公報
【特許文献２】特開２００９−１６０１５１号公報
【特許文献３】国際公開１３／１３７２０８号公報
【発明の概要】
【発明が解決しようとする課題】
【０００５】
眼内レンズ用インジェクタは、挿入過程において、眼内レンズの光学部を折り曲げて眼内に放出するため、先端側に向かうにつれて狭まるように構成されている。眼内レンズ用インジェクタの先端側の内壁との干渉を避ける観点から、プランジャの先端側は細く形成されることが好ましい。しかし、プランジャの先端側を細く形成した場合、本体の出口にあたる開口部は、先端側より太い基端側の形状に応じて形成しなければならないため、プランジャの先端側と開口部との隙間が大きくなり、プランジャの先端側で軸ブレが生じるおそれがある。
【０００６】
この点、特許文献１に開示される構成において、先端側の幅が先細る形状のプランジャを用いた場合、初期位置にあるプランジャと１対の軸出部の間で隙間が大きくなってしまう。また、この構成では、レンズホルダ内部でのプランジャの上方向のブレを抑制することは難しかった。
【０００７】
また、特許文献２に開示される構成は、眼内レンズが該傾斜開口部から次第に露出されるに従って、該摺接部に及ぼされる当接力を次第に増大させているため、プランジャが眼内レンズに接触するときの軸ブレを効果的に防止できない。特許文献３に開示される構成においても、挿入筒部の先端から眼内レンズが眼球内に放出される時点またはその後に器具本体へのプランジャの押し込み抵抗を増加させているため、プランジャが眼内レンズに接触するときの軸ブレを防止できなかった。このように、従来の技術には、レンズホルダ内部での軸ブレを防止するという観点から改善の余地があった。
【０００８】
本発明は、眼内レンズ用インジェクタのレンズホルダにおいて、レンズホルダ内部でのプランジャの軸ブレを効果的に防止できる構成を提供することを目的とする。
【課題を解決するための手段】
【０００９】
本発明は、眼内レンズをプランジャによって押し出して眼内に挿入する眼内レンズ用インジェクタのレンズホルダであって、眼内レンズのレンズ本体をセットする載置部を有し、前記載置部にセットされた前記レンズ本体を先端側に押し出す前記プランジャの挿入口が基端側に形成されるホルダ本体と、前記ホルダ本体の内部における前記載置部と前記挿入口の間であって前記プランジャの移動経路に設けられ、前記プランジャが先端側に移動すると該プランジャの形状に追従して変形する弾性部材と、を備える眼内レンズ用インジェクタのレンズホルダに関する。
【００１０】
前記弾性部材は、前記ホルダ本体における前記載置部が配置される面から突出し、前記プランジャの移動方向に直交する方向の一側に形成される第１規制部材と、前記ホルダ本体における前記載置部が配置される面から突出し、前記プランジャの移動方向に直交する方向の他側に形成される第２規制部材と、を有し、前記第１規制部材及び前記第２規制部材は、前記載置部が配置される面から離れるにつれて互いに近づくように形成されるとともに、移動方向に直交する方向で前記プランジャを挟むように配置されることが好ましい。
【００１１】
前記弾性部材は、前記第１規制部材の先端側に配置され、先端側を向く面を有する第１壁部と、前記第２規制部材の先端側に配置され、先端側を向く面を有する第２壁部と、を更に有することが好ましい。
【００１２】
前記弾性部材は、前記ホルダ本体における前記載置部が配置される面とは反対側の面から突出し、その先端が前記プランジャの移動方向の一側又は他側の何れかに曲がった状態で前記プランジャに接触することが好ましい。
【００１３】
前記レンズホルダは、前記載置部と前記挿入口の間であって前記プランジャの移動経路に設けられ、前記レンズホルダの底部から前記プランジャの移動方向に直交する方向で突出する底部側支持部材を更に備えることが好ましい。
【００１４】
また、本発明は、筒状に形成される本体と、眼内レンズが収容され、前記本体の先端に配置されるレンズホルダと、前記本体に挿入され、前記本体の先端側に形成される開口部から前記レンズホルダにセットされた前記眼内レンズを先端側に押し出すプランジャと、を備え、前記レンズホルダは、眼内レンズのレンズ本体をセットする載置部を有し、前記載置部にセットされた前記レンズ本体を先端側に押し出す前記プランジャの挿入口が基端側に形成されるホルダ本体と、前記ホルダ本体の内部における前記載置部と前記挿入口の間であって前記プランジャの移動経路に設けられ、前記プランジャが先端側に移動すると該プランジャの形状に追従して変形する弾性部材と、を有する眼内レンズ用インジェクタに関する。
【００１５】
前記プランジャは、前記眼内レンズに接触する接触部を有する先端部と、前記先端部の基端側に接続され、前記先端部よりも幅広な扁平に形成される扁平部と、前記プランジャの軸方向に沿って前記先端部から前記扁平部にかけて形成され、前記扁平部では扁平面から突出する被規制部と、を有し、前記開口部は、前記扁平部の形状に応じて開口された中央開口部と、前記被規制部の形状に応じて前記中央開口部の端面から前記扁平部の厚み方向に突出するように形成される規制部と、を有し、前記被規制部は、前記接触部が前記眼内レンズに接触を開始する前の初期位置から接触するまでの間は少なくとも前記規制部に規制されるように、その軸方向の長さが設定されることが好ましい。
【発明の効果】
【００１６】
本発明の眼内レンズ用インジェクタのレンズホルダによれば、レンズホルダ内部でのプランジャの軸ブレを効果的に防止できる。
【図面の簡単な説明】
【００１７】
【図１】第１実施形態の眼内レンズ用インジェクタの外観を示す斜視図である。
【図２】第１実施形態のレンズホルダに眼内レンズがセットされた状態を示す平面図である。
【図３】第１実施形態のレンズホルダの内部を先端チップ側から示す断面図である。
【図４】プランジャが初期位置から先端側に移動した状態における第１実施形態のレンズホルダの内部の様子を示す斜視図である。
【図５】第２実施形態のレンズホルダに眼内レンズがセットされた状態を示す斜視図である。
【図６】第２実施形態のレンズホルダの内部の様子を示す側面断面図である。
【図７】第３実施形態の眼内レンズ用インジェクタの本体の開口部と初期位置のプランジャの位置関係を示す斜視図である。
【図８】第３実施形態の眼内レンズ用インジェクタにおいてプランジャが初期位置から先端側に移動した様子を示す斜視図である。
【図９】第４実施形態のレンズホルダの内部の様子を示す斜視図である。
【図１０】第４実施形態のレンズホルダの内部の様子を示す平面図である。
【図１１】第４実施形態のレンズホルダの軸ブレ防止部及びその近傍を示す拡大斜視図である。
【図１２】第４実施形態のレンズホルダの内部を先端チップ側から示す断面図である。
【発明を実施するための形態】
【００１８】
以下、本発明の好ましい各実施形態について、図面を参照しながら説明する。図１は、第１実施形態の眼内レンズ用インジェクタ１の外観を示す斜視図である。
【００１９】
図１に示す眼内レンズ用インジェクタ１は、レンズホルダ４にセットされた眼内レンズ９０をプランジャ３で押し出して先端チップ５から眼内に放出する眼内レンズ９０の挿入器具である。図１では、レンズホルダ４のカバー４６が開いた状態が示されている。
【００２０】
まず、眼内レンズ用インジェクタ１の全体構成について説明する。図１に示すように、眼内レンズ用インジェクタ１は、本体２と、プランジャ３と、レンズホルダ４と、先端チップ５と、を備える。なお、以下の説明において、プランジャ３の移動方向と同じ方向を方向ＰＤとし、方向ＰＤにおける眼内レンズを放出する側を先端側とする。また、方向ＰＤにおける先端側の反対側を基端側とする。更に、上下方向はレンズホルダ４の厚み方向と同じ方向を意味し、左右方向はレンズホルダ４を方向ＰＤで見たときに前記上下方向と直交する方向を意味する。
【００２１】
本体２は、プランジャ３を挿入するための貫通孔を有する円筒状に形成される。本体２の先端側の端面には、レンズホルダ４を固定するための板状の固定部２１が先端側に突出している。一方、本体２の基端側の外周面には、使用者が手をかけるための場所となる鍔部２２が形成される。
【００２２】
プランジャ３は、レンズホルダ４にセットされた眼内レンズ９０を先端側に押し出す軸状部材である。本実施形態のプランジャ３は、基端側から先端側に進むにつれて段階的に径が小さくなるように形成されている。
【００２３】
プランジャ３の最も基端側に位置する基端側軸部３１の基端には鍔状の押圧部３２が形成される。使用者は、この押圧部３２を本体２側に押し込むことにより、プランジャ３を先端側に移動させる。
【００２４】
レンズホルダ４は、眼内レンズ９０を眼内レンズ用インジェクタ１にセットするためのものであり、本体２と先端チップ５との間に配置される。レンズホルダ４に眼内レンズ９０がセットされた状態でプランジャ３を先端チップ５側に押し込むことにより、眼内レンズ９０がレンズホルダ４から先端チップ５に移動する。なお、レンズホルダ４の詳細な構成については後述する。
【００２５】
先端チップ５は、ノズル部５１と、放出部５２と、を備える。ノズル部５１は、レンズホルダ４に連通する内部通路を有し、この内部通路は先端側に進むに従って狭まるように構成されている。放出部５２は、眼内レンズ９０を眼内レンズ用インジェクタ１の外部に放出する放出口であり、眼内レンズ用インジェクタ１の先端に位置する。
【００２６】
次に、レンズホルダ４の詳細な構成について説明する。図２は、眼内レンズ９０がレンズホルダ４にセットされた状態を示す平面図である。図３は、第１実施形態のレンズホルダ４の内部を先端チップ５側から示す断面図である。
【００２７】
まず、レンズホルダ４に収容される眼内レンズ９０について説明する。図２に示すように、眼内レンズ９０は、レンズ本体としての光学部９１と、第１レンズ支持部９２と、第２レンズ支持部９３と、から構成される３ピースレンズである。なお、以下の説明では３ピースレンズを例として説明するが、本発明は、３ピースレンズに限られず、シングルピース等、種々の眼内レンズに適用することができる。
【００２８】
眼内レンズ９０の構成について説明する。光学部９１は、眼内挿入後に水晶体として機能するレンズ本体である。第１レンズ支持部９２及び第２レンズ支持部９３は、光学部９１から曲線状に延び出るように形成され、眼内挿入後に光学部９１を眼内で保持する。第１レンズ支持部９２及び第２レンズ支持部９３は、光学部９１の中心を対称の中心とした点対称の位置関係になるように配置されている。これらの光学部９１、第１レンズ支持部９２及び第２レンズ支持部９３は軟性を有する材質で変形可能に形成されている。
【００２９】
次に、レンズホルダ４の構成について説明する。レンズホルダ４は、ホルダ本体６１と、カバー４６と、軸ブレ防止部１１０と、を備える。
【００３０】
ホルダ本体６１は、平板状に形成されている。ホルダ本体６１は、その平面部分の中央に眼内レンズ９０の光学部９１を載置する載置部６２を有する。載置部６２の両側には壁部６５，６６が方向ＰＤに沿ってそれぞれ形成される。これらの壁部６５，６６によって方向ＰＤに直交する方向の眼内レンズ９０の動きが規制される。
【００３１】
図３に示すように、本体２の基端側にはプランジャ３が挿通する開口部７０が形成されている。そして、ホルダ本体６１の基端側には開口部７０と連通する挿入口６３が形成されている。本実施形態の挿入口６３は、ホルダ本体６１の基端側の端面が開放されて形成されている。
【００３２】
カバー４６は、ホルダ本体６１に開閉可能に取り付けられており、このカバー４６を閉じることによってレンズホルダ４の内部と外部が隔絶される。また、カバー４６の内面には、カバーリブ４７，４８が方向ＰＤに沿って形成される。
【００３３】
軸ブレ防止部１１０は、プランジャ３の軸ブレを防止するための部材であり、レンズホルダ４の内部に設けられる。軸ブレ防止部１１０は、光学部９１が載置される載置部６２と挿入口６３の間に配置される。
【００３４】
軸ブレ防止部１１０の構成について説明する。第１実施形態の軸ブレ防止部１１０は、左右一組の第１規制部材１１１及び第２規制部材１１２によって構成される。
【００３５】
図３に示すように、第１規制部材１１１及び第２規制部材１１２は、ホルダ本体６１の底部から閉鎖状態のカバー４６側に突出している。第１規制部材１１１は、プランジャ３の移動経路における左右方向（移動方向に直交する方向）の一側に配置され、第２規制部材１１２は、プランジャ３の移動経路における左右方向の他側に配置されている。
【００３６】
第１規制部材１１１及び第２規制部材１１２は、いずれも、レンズホルダ４の底部からカバー４６に近づくにつれてレンズホルダ４の左右方向の中心に近づくように傾斜しており、初期位置のプランジャ３の先端が左右方向に挟まれた状態となる。本実施形態では、第１規制部材１１１及び第２規制部材１１２は、プランジャ３の曲面に応じた形状となっており、円柱状のプランジャ３の先端に第１規制部材１１１及び第２規制部材１１２が覆い被さるようになっている。
【００３７】
また、第１規制部材１１１及び第２規制部材１１２は、プランジャ３の移動に伴って左右に拡がるように弾性変形可能な材料で形成されている。第１規制部材１１１及び第２規制部材１１２を構成する材料としては、プランジャ３の移動方向の移動を必要以上に妨げないように、すべり抵抗の少ない材料、例えばポリプロピレン、ポリエチレン、ナイロン、ポリウレタン、ＡＢＳ樹脂で形成されることが好ましい。
【００３８】
なお、軸ブレ防止部１１０は、初期位置のプランジャ３に対して予め接触するように配置してもよいし、プランジャ３が初期位置から移動した後に接触するように配置してもよい。また、本実施形態では、軸ブレ防止部１１０は、ホルダ本体６１と一体的に成形されるものを例として説明したが、軸ブレ防止部がホルダ本体に別体として組み込まれる構成としてもよい。
【００３９】
次に、プランジャ３の挿入過程における軸ブレ防止部１１０の軸ブレ防止機能について説明する。図４は、プランジャ３が初期位置から先端側に移動した状態における第１実施形態のレンズホルダ４の内部の様子を示す斜視図である。図４では、カバー４６を鎖線で示しており、眼内レンズ９０は先端チップ５の内部に送られている様子が示されている。
【００４０】
図２に示す初期位置のプランジャ３が先端チップ５側に押し込まれると、図４に示すようにプランジャ３の基端側の部位がレンズホルダ４の内部に進入していく。このとき、プランジャ３の先端は、第１規制部材１１１及び第２規制部材１１２によって挟まれ、付勢力が働いているので、眼内レンズ９０に接触するまでにブレを生じさせることなく、適切な位置で眼内レンズ９０の光学部９１の端面にプランジャ３の先端を接触させることができる。
【００４１】
図４に示すように、プランジャ３の径は、先端側から基端側に進むにつれて段階的に大きくなるように形成されている。従って、第１規制部材１１１及び第２規制部材１１２が設けられる位置では、眼内レンズ９０の押出しが進むに従ってプランジャ３の径が次第に大きくなることになる。
【００４２】
第１規制部材１１１及び第２規制部材１１２は、第１規制部材１１１及び第２規制部材１１２の間を通過するプランジャ３の径が大きくなるにつれてその形状に応じて弾性変形するので、第１規制部材１１１及び第２規制部材１１２とプランジャ３の接触が維持された状態で眼内レンズ９０の押出し作業が行われることになる。
【００４３】
プランジャ３によってレンズホルダ４から先端チップ５に送り込まれた眼内レンズ９０は、ノズル部５１の内部通路の内壁によって光学部９１が折りたたまれた状態で放出部５２から眼内に放出される。なお、眼内レンズ９０の挿入作業は、適宜、ヒアルロン酸ナトリウム、ヒドロキシプロピルメチルセルロース、ポリビニルピロリドン等の粘弾性物質又は創傷治療薬物等をレンズホルダ４に充填した状態で行う。
【００４４】
以上説明した第１実施形態の眼内レンズ用インジェクタ１に適用されるレンズホルダ４によれば以下のような効果を奏する。
第１実施形態の眼内レンズ用インジェクタ１のレンズホルダ４は、眼内レンズ９０の光学部９１をセットする載置部６２を有し、載置部６２にセットされた光学部９１を先端側に押し出すプランジャ３の挿入口６３が基端側に形成されるホルダ本体６１と、ホルダ本体６１の内部における載置部６２と挿入口６３の間であってプランジャ３の移動経路に設けられ、プランジャ３が先端側に移動すると該プランジャ３の形状に追従して変形する弾性部材としての軸ブレ防止部１１０と、を備える。
【００４５】
これにより、弾性部材としての軸ブレ防止部１１０がプランジャ３の移動に伴って変形するので、プランジャ３の移動を妨げることなくプランジャ３の軸ブレを効果的に防止できる。プランジャ３の断面形状が先端側から基端側に進むにつれて大きくなる場合であっても、弾性変形する軸ブレ防止部１１０によって付勢力を作用させ続けることができるので、眼内レンズ９０が眼内レンズ用インジェクタ１の先端側に押し出されるまでプランジャ３の軸ブレを一貫して防止することができる。
【００４６】
軸ブレ防止部１１０は、ホルダ本体６１における載置部６２が配置される面（載置部６２が配置される側）から突出し、プランジャ３の移動方向に直交する方向の一側に形成される第１規制部材１１１と、ホルダ本体６１における載置部６２が配置される面（載置部６２が配置される側）から突出し、プランジャ３の移動方向に直交する方向の他側に形成される第２規制部材１１２と、を有し、第１規制部材１１１及び第２規制部材１１２は、載置部６２が配置される面から離れるにつれて互いに近づくように形成されるとともに、移動方向に直交する方向でプランジャ３を挟むように配置される。
【００４７】
これにより、プランジャ３をホルダ本体６１側に押し付ける力が第１規制部材１１１及び第２規制部材１１２により作用し、左右方向にずれる動きやプランジャ３の浮き上がる動きを効果的に規制することができる。
【００４８】
次に、第２実施形態のレンズホルダ２０４について説明する。図５は、第２実施形態のレンズホルダ２０４に眼内レンズ９０がセットされた状態を示す斜視図である。
【００４９】
第２実施形態のレンズホルダ２０４は、軸ブレ防止部１１０の構成が第１実施形態のレンズホルダ４と異なっている。以下の説明において第１実施形態と同様の構成については同じ符号を付してその説明を省略することがある。
【００５０】
図５に示すように、第２実施形態のレンズホルダ２０４は、ホルダ本体２６１ではなく、カバー２４６の平面部分の基端側に軸ブレ防止部２１０が形成されている。第２実施形態の軸ブレ防止部２１０は、カバー２４６の内面から突出するようにカバー２４６と一体的に形成されている。本実施形態の軸ブレ防止部２１０は、プランジャ３に接触する側の面が内側に湾曲している。なお、軸ブレ防止部２１０は、この形状に限らず適宜変更可能である。
【００５１】
図６は、第２実施形態のレンズホルダ２０４の内部の様子を示す側面断面図である。図６では、鎖線によって移動後のプランジャ３及び弾性変形後の軸ブレ防止部２１０が示されている。
【００５２】
図６に示すように、閉鎖状態では、軸ブレ防止部２１０は、カバー２４６からホルダ本体２６１の基端側に曲がるように形成されている。軸ブレ防止部２１０は、その先端がカバー２４６の閉鎖状態においてプランジャ３の上面に接触するようにその長さが設定されている。
【００５３】
プランジャ３が軸ブレ防止部２１０に接触している状態では軸ブレ防止部２１０が弾性変形した状態となり、プランジャ３に対してホルダ本体２６１の底部側に押し込む力を作用させる。これによってプランジャ３の上方向の動きが規制され、軸ブレが防止される。
【００５４】
なお、プランジャ３に接触していない自然状態ではその先端が初期位置のプランジャ３の先端部の上面の位置よりもホルダ本体２６１の底部に近い位置にあるように軸ブレ防止部２１０の位置を設定し、初期位置からプランジャ３を付勢するように軸ブレ防止部２１０を構成してもよいし、プランジャ３が初期位置から移動した後に該プランジャ３に対して軸ブレ防止部２１０が接触するように構成してもよい。
【００５５】
この軸ブレ防止部２１０がプランジャ３に接触した状態でプランジャ３が先端チップ５側に移動すると、プランジャ３は先端側よりも基端側の径が大きく形成されているため、プランジャ３が先端チップ５側に進むにつれて軸ブレ防止部２１０が上方に押されて弾性変形する（図６参照）。この弾性変形により、軸ブレ防止部２１０とプランジャ３の上面の接触が保たれ、プランジャ３をホルダ本体２６１側に押し込む力がプランジャ３に作用し続けることになる。
【００５６】
以上説明した第２実施形態の眼内レンズ用インジェクタ２０１に適用されるレンズホルダ２０４によれば以下のような効果を奏する。即ち、第２実施形態のレンズホルダ２０４の軸ブレ防止部２１０は、ホルダ本体２６１における載置部６２が配置される面とは反対側の面であるカバー２４１から突出し、その先端がプランジャ３の移動方向の一側に曲がった状態でプランジャ３に接触する。
【００５７】
これにより、プランジャ３に付勢力を発揮しつつ、プランジャ３の移動に伴って軸ブレ防止部２１０が変形するのでプランジャ３の高さが基端側に進むにつれて高くなる形状であっても、プランジャ３の移動を妨げることなく、プランジャ３の軸ブレを適切に防止することができる。
【００５８】
なお、第２実施形態では、軸ブレ防止部２１０が移動方向の基端側に曲がるように形成されている例を説明したが、この構成に限定されない。例えば、第２実施形態の軸ブレ防止部を移動方向の先端側に曲がるように形成してもよい。この場合においても、軸ブレ防止部は、プランジャの移動に伴ってプランジャの形状に追従変形しつつ、その付勢力によってプランジャの軸ブレを防止することができる。
【００５９】
次に、第３実施形態の眼内レンズ用インジェクタ３０１について説明する。図７は、第３実施形態の眼内レンズ用インジェクタ３０１の本体３０２の開口部３７０と初期位置のプランジャ３０３の位置関係を示す斜視図である。図８は、第３実施形態の眼内レンズ用インジェクタ３０１においてプランジャ３０３が初期位置から先端側に移動した様子を示す斜視図である。
【００６０】
第３実施形態の眼内レンズ用インジェクタ３０１は、シングルピース型の眼内レンズに適用するものである。なお、図８の鎖線で示す第３実施形態のレンズホルダ３０４は、第１実施形態のレンズホルダ４と同様の構成の軸ブレ防止部１１０又は第２実施形態の軸ブレ防止部２１０と同様の軸ブレ防止部（図示省略）を備えるものとする。
【００６１】
第３実施形態の眼内レンズ用インジェクタ３０１は、レンズホルダ３０４内部に設けられる軸ブレ防止部の構成に加え、プランジャ３０３及び本体３０２に形成される開口部３７０による軸ブレ防止機能を更に備える構成である。
【００６２】
まず、第３実施形態のプランジャ３０３の形状について説明する。プランジャ３０３は、基端側軸部３１及び押圧部３２（図７及び図８において省略）と、中軸部３３３と、先端側軸部３３５と、Ｌ字部３３６と、被規制部３４０と、を備える。
【００６３】
基端側軸部３１及び押圧部３２については上記実施形態と同様の構成である（図１参照）。中軸部３３３は、基端側軸部３１の先端側に接続され、基端側軸部３１よりも細い径の軸部である。
【００６４】
図８に示すように、中軸部３３３は、その断面形状が扁平な形状に形成される。また、扁平に形成される中軸部３３３の厚み方向は、レンズホルダ３０４の厚み方向（上下方向）と同じ方向となっている。
【００６５】
先端側軸部３３５は、中軸部３３３の先端側に接続され、中軸部３３３よりも細く形成される。本実施形態の先端側軸部３３５は、その先端に、眼内レンズの第２レンズ支持部に接触する断面形状がＬ字形状のＬ字部３３６を有する。第３実施形態では、眼内レンズの先端側のレンズ支持部がＬ字部３３６の切欠き部分に載ることにより、該レンズ支持部を適切な状態で曲げることができるようになっている。
【００６６】
被規制部３４０は、先端側軸部３３５のＬ字部３３６の基端側から中軸部３３３の略全域にかけてプランジャ３０３の軸方向に沿って形成される。被規制部３４０は、先端側軸部３３５から中軸部３３３に途切れることなく連続的に形成されており、扁平に形成される中軸部３３３では、その扁平面から厚み方向（上下方向）に突出する細長のリブ状になっている。そして、被規制部３４０の断面形状は、蒲鉾状（セミシリンドリカルな形状）になっている。この被規制部３４０の軸方向の長さは、後述の初期位置の状態でプランジャ３０３が上方向にぶれた場合に開口部３７０に接触して軸ブレが防止されるように設定されている。
【００６７】
このように、第３実施形態のプランジャ３０３は、基端側から先端側に向かうにつれて段階的に細くなるように形成される。また、プランジャ３０３は、その先端側の上面が滑らかな曲面状に構成される。本実施形態では、軸方向で見たときに、Ｌ字部３３６の上面が略円弧状に構成されるとともに、Ｌ字部３３６の基端側から形成される被規制部３４０の上面が左右方向の左右端から中央部に向かって滑らかな山状に構成される。このように、先端チップ５の内部に進入する部分の上面が滑らかな曲面で形成されることにより、プランジャ３０３の先端側が先端チップ５の内腔上部の形状にフィットし、スムーズな挿入作業が実現される。更に、プランジャ３０３の先端側の上面が滑らかな曲面で形成されているので、挿入過程において、プランジャ３０３の先端側の上面によって先端チップ５の内壁上部が傷つけられる事態も防止される。
【００６８】
次に、開口部３７０について説明する。図７に示すように、開口部３７０は、プランジャ３０３の形状に基づいて形成された中央開口部３７１と、規制部３７２と、底部側規制部３７３と、を備える。
【００６９】
中央開口部３７１は、横長の略矩形状に形成される。本実施形態の中央開口部３７１は、プランジャ３０３の中軸部３３３の断面形状に応じて形成されており、角が丸められた左右方向に横長の長方形状になっている。
【００７０】
規制部３７２は、中央開口部３７１の上辺（厚み方向の一側の辺）の中央から上方に突出するように切欠き状に形成される。本実施形態の規制部３７２は、その端面が被規制部３４０の断面形状にあわせて円弧状に形成されている。
【００７１】
底部側規制部３７３は、中央開口部３７１の下辺（厚み方向の他側の辺）の中央から下方に突出するように切欠き状に形成される。本実施形態の底部側規制部３７３は、Ｌ字部３３６の底部の形状にあわせて角が丸められた左右方向に横長の長方形状に形成される。
【００７２】
次に、プランジャ３０３の動作時における開口部７０による軸ブレ防止の作用について説明する。図７に示すように、プランジャ３０３の初期位置は、先端側軸部３３５の一部がレンズホルダ３０４の内部に露出した状態である。そして、眼内レンズ（図示省略）の基端側のレンズ支持部よりもプランジャ３０３のＬ字部３３６が基端側に位置する。
【００７３】
上述のように、プランジャ３０３の被規制部３４０は、初期位置で開口部７０に規制されるように、その長さが設定されているので、初期位置では、プランジャ３０３の被規制部３４０と開口部３７０の規制部３７２が対向している状態となる。
【００７４】
また、初期位置では、プランジャ３０３のＬ字部３３６の底部が開口部３７０の底部側規制部３７３に嵌り込んだ状態となっている。即ち、プランジャ３０３が初期位置にある状態では、プランジャ３０３の上下方向で開口部７０の規制部３７２及び底部側規制部３７３に軸方向に直交するブレが規制された状態となっている。
【００７５】
プランジャ３０３が初期位置にある状態で、使用者によってプランジャ３０３が初期位置から方向ＰＤの先端側に押し込まれると、プランジャ３０３のＬ字部３３６が眼内レンズの基端側に位置する第２レンズ支持部に接触し、第２レンズ支持部が光学部側に折り曲げられた状態となる。本実施形態では、被規制部３４０が先端側軸部３３５から中軸部３３３にかけて途切れることなく形成されているので、初期位置からプランジャ３０３の先端面が第２レンズ支持部に接触するまで、プランジャ３０３の軸方向のブレが規制され続けることになる。更に、底部側規制部３７３によってもプランジャ３０３の左右方向及び下方向の動きが規制されているので、プランジャ３０３と眼内レンズ９０の第２レンズ支持部９３との接触を適切に制御することが可能になっている。
【００７６】
図８に示すように、プランジャ３０３が更に先端側に進むと、先端チップ５での内壁により光学部が折り曲げられ、この状態で放出部５２より眼内に挿入される。プランジャ３０３の先端側軸部３３５は、中軸部３３３よりも細く形成されており、先端チップ５の内壁に干渉することなく、眼内レンズ９０が外部に排出されるまで、その接触を長く維持することが可能になっている。更に、プランジャ３０３の底部が底部側規制部３７３に規制され続けることによって、プランジャ３０３の軸方向への安定した移動が実現されている。
【００７７】
以上説明した第３実施形態の眼内レンズ用インジェクタ３０１によれば、以下のような効果を奏する。
第３実施形態の眼内レンズ用インジェクタ３０１は、筒状に形成される本体３０２と、眼内レンズ９０が収容され、本体３０２の先端に配置されるレンズホルダ３０４と、本体３０２に挿入され、本体３０２の先端側に形成される開口部３７０からレンズホルダ３０４にセットされた眼内レンズ９０を先端側に押し出すプランジャ３０３と、を備える。そして、レンズホルダ３０４は、第１実施形態の軸ブレ防止部１１０又は第２実施形態の軸ブレ防止部２１０と同様の構成の軸ブレ防止部を備える。
【００７８】
これにより、レンズホルダ３０４の軸ブレ防止構造と併せて本体３０２の開口部３７０によっても軸ブレが防止され、複合的にプランジャ３０３の軸ブレを防止することができる。
【００７９】
また、第３実施形態のプランジャ３０３は、眼内レンズ９０に接触するＬ字部３３６（接触部）を有する先端側軸部３３５（先端部）と、先端側軸部３３５の基端側に接続され、先端側軸部３３５よりも幅広な扁平に形成される中軸部３３３（扁平部）と、プランジャ３０３の軸方向に沿って先端側軸部３３５から中軸部３３３にかけて形成され、中軸部３３３では扁平面から突出する被規制部３４０と、を備える。また、本体３０２の開口部３７０は、中軸部３３３の形状に応じて開口された中央開口部３７１と、被規制部３４０の形状に応じて中央開口部３７１の端面から中軸部３３３の厚み方向に突出するように形成される規制部３７２と、を備える。そして、被規制部３４０は、Ｌ字部３３６が眼内レンズの第２レンズ支持部に接触を開始する前の初期位置から接触するまでの間、規制部７２に規制されるように、その軸方向の長さが設定される。
【００８０】
また、扁平に形成される中軸部３３３（扁平部）を有することにより、プランジャ３０３の剛性を高めつつ、先端側軸部３３５（先端部）を細く形成することができるとともに、プランジャ３０３が眼内レンズ９０に接触するまでの間に生じる軸ブレを確実に防止することができる。
【００８１】
また、プランジャ３０３は、中軸部３３３の被規制部３４０が形成される面とは、反対側の扁平面にプランジャ３０３の軸方向に沿って突出する底部（第２の被規制部）を更に備える。開口部３７０は、中央開口部３７１を挟んで規制部３７２の反対側に配置され、プランジャ３０３の底部の形状に応じて形成される底部側規制部３７３（第２の規制部）を更に備え、底部側規制部３７３は、Ｌ字部３３６が眼内レンズに接触を開始する前の初期位置から接触するまでの間、底部側規制部３７３に規制されるように、その軸方向の長さが設定される。
【００８２】
これにより、規制部３７２と底部側規制部３７３（第２の規制部）によって扁平部の厚み方向でプランジャ３０３の移動を規制できるので、プランジャ３０３の軸ブレを一層効果的に防止することができる。
【００８３】
底部側規制部３７３（第２の被規制部）は、中軸部３３３から先端側軸部３３５の先端面（Ｌ字部３３６の先端面）まで連続的に形成されている。
【００８４】
これにより、プランジャ３０３が本体３０２に挿入され、開口部３７０に達した時点から底部側規制部３７３によってプランジャ３０３の軸ブレが防止されることになるので、プランジャ３０３の初期位置をより精密に設定することができる。
【００８５】
第３実施形態では、開口部とプランジャの形状が略同形状に形成されているが、開口部によってプランジャの軸ブレを防止できれば、開口部とプランジャの形状が異なってもよい。このように、第３実施形態のプランジャの形状及び開口部の形状は事情に応じて適宜変更することができる。
【００８６】
次に、第４実施形態のレンズホルダ４０４について説明する。図９は、第４実施形態のレンズホルダ４０４の内部の様子を示す斜視図である。図１０は、第４実施形態のレンズホルダ４０４の内部の様子を示す平面図である。
【００８７】
図９及び図１０に示すように、第４実施形態のレンズホルダ４０４は、上記実施形態の構成とは異なる軸ブレ防止部４１０及びサポート部材４５０を更に備えるように構成される。
【００８８】
第４実施形態の軸ブレ防止部４１０は、第１規制部材４１１と、第２規制部材４１５と、を備える。第１規制部材４１１及び第２規制部材４１５は、その基本構成自体は第１実施形態の第１規制部材１１１及び第２規制部材１１２と同様であるが、第１壁部４１２及び第２壁部４１６をそれぞれ備える点が異なっている。
【００８９】
まず、第４実施形態の軸ブレ防止部４１０の詳細な構成について説明する。図１１は、第４実施形態のレンズホルダの軸ブレ防止部４１０及びその近傍を示す拡大斜視図である。図１１に示すように、第１規制部材４１１の先端側には壁状の第１壁部４１２が設けられる。第１壁部４１２は第１規制部材４１１と一体的な部材として構成される。同様に、第２規制部材４１５の先端側には壁状の第２壁部４１６が当該第２規制部材４１５と一体的に設けられる。
【００９０】
第１壁部４１２及び第２壁部４１６は、何れもその壁面がプランジャ３の軸方向（進行方向）の先端側を向いている。図１０に示すように、第１壁部４１２及び第２壁部４１６は、眼内レンズ９０の後方に位置する第２レンズ支持部９３が挿入口６３側に移動しようとする動きを規制する規制壁として機能する。これにより、挿入作業前の眼内レンズ９０において、第２レンズ支持部９３の形状を適切な状態で維持することができ、眼内レンズ９０の挿入作業をよりスムーズに行うことができる。また、眼内レンズ９０の載置部６２よりも後方側への移動も防止することができる。
【００９１】
図１２は、第４実施形態のレンズホルダ４０４の内部を先端チップ５側から示す断面図である。図１２に示すように、本実施形態では、第１壁部４１２は第１規制部材４１１の先端側上部に配置されるとともに、第２壁部４１６は第２規制部材４１５の先端側上部に配置される。このように、軸方向視において、第１壁部４１２及び第２壁部４１６がプランジャ３の移動軌跡に重ならない位置に配置されることにより、プランジャ３の移動を妨げない構成になっている。
【００９２】
また、図１０の平面視に示すように、第１壁部４１２及び第２壁部４１６は、プランジャ３の軸方向でその位置がオフセット配置されている。第４実施形態の壁部６６の挿入口６３側には第２レンズ支持部９３の向きをガイドするガイド部４５１が設けられているが、このガイド部４５１側に位置する第２壁部４１６が第１壁部４１２よりも先端側に位置している。このように、第１壁部４１２及び第２壁部４１６のそれぞれの位置を調節することにより、第２レンズ支持部９３の位置及び姿勢をより精密に制御することが可能となっている。なお、第４実施形態では、第１壁部４１２及び第２壁部４１６を軸方向でずらして配置された例を説明したが、この構成に限定されない。例えば、第１壁部４１２と第２壁部４１６を軸方向で同じ位置に配置することもできる。また、第１壁部４１２を第２壁部４１６よりも先端側に位置させることもできる。
【００９３】
次に、サポート部材４５０の詳細な構成について説明する。サポート部材４５０は、レンズホルダ４０４の底部に配置される。本実施形態では、レンズホルダ４０４を固定するための板状の固定部２１から閉鎖位置のカバー４６側に突出するように構成される。サポート部材４５０の上端面の高さは、プランジャ３の移動軌跡に基づいて設定されている。即ち、プランジャ３のレンズホルダ４０４の厚み方向での軸ブレを規制するために、サポート部材４５０をプランジャ３の下面に接触又は近接する位置に設けられる。
【００９４】
第４実施形態では、プランジャ３をホルダ本体６１側に押し付ける力が第１規制部材４１１及び第２規制部材４１５により作用するとともに、サポート部材４５０によってプランジャ３の下方向の移動が規制されるので、プランジャ３の上下左右のぐらつきが最小限に抑えられている。
【００９５】
以上説明した第４実施形態の弾性部材としての軸ブレ防止部４１０は、第１規制部材４１１の先端側に配置され、先端側を向く面を有する第１壁部４１２と、第２規制部材４１５の先端側に配置され、先端側を向く面を有する第２壁部４１６と、を更に有する。
【００９６】
これにより、第１壁部４１２と第２壁部４１６によって眼内レンズ９０を適切な位置にセットすることができ、プランジャ３を眼内レンズ９０により適切な状態で接触させることができる。また、第１壁部４１２と第２壁部４１６の位置によって第２レンズ支持部９３の状態をより精密に調節することもできる。
【００９７】
また、第４実施形態のレンズホルダ４０４は、載置部６２と挿入口６３の間であってプランジャ３の移動経路に設けられ、レンズホルダ４０４の底部からプランジャ３の移動方向に直交する方向で突出する底部側支持部材としてのサポート部材４５０を更に備える。
【００９８】
これにより、サポート部材４５０によりプランジャ３が下支えされるので、プランジャ３の上下方向の軸ブレを効果的に抑制することができる。
【００９９】
第４実施形態のサポート部材４５０は、本体２の固定部２１からレンズホルダ４０４の底部を通ってプランジャ３の軸ブレを規制する構成であるが、レンズホルダ４０４の底部に設ける構成としてもよい。
【０１００】
以上説明した第４実施形態のサポート部材４５０は、第１実施形態のレンズホルダ４，第２実施形態のレンズホルダ２０４及び第３実施形態のレンズホルダ３０４にも設けることができる。
【０１０１】
以上、本発明の眼内レンズ用インジェクタの好ましい各実施形態につき説明したが、本発明は、上述の実施形態に制限されるものではなく、更に、適宜変更が可能である。
【０１０２】
上記実施形態では、レンズホルダと本体が別体に構成される眼内レンズ用インジェクタを例として説明したが、この構成に限定されるわけではなく、レンズホルダが本体と一体的に形成される構成とすることもできる。また、レンズホルダの構成についても、本実施形態の構成に限定されるわけではない。プランジャの軸ブレを防止する本発明の構成を有するものであれば、眼内レンズ用インジェクタは、その本体、先端チップ、レンズホルダ及びプランジャ等の各構成を適宜変更することができる。また、眼内レンズもシングルピース、スリーピース等、種々の形状のものにも対応することができる。
【符号の説明】
【０１０３】
１  眼内レンズ用インジェクタ
２  本体
３  プランジャ
４，２０４，３０４，４０４  レンズホルダ
９０  眼内レンズ
９１  光学部（レンズ本体）
６１  ホルダ本体
１１０，２１０，４１０  軸ブレ防止部（弾性部材）
１１１，４１１  第１規制部材
１１２，４１５  第２規制部材
３３３  中軸部（扁平部、第２の被規制部）
３３５  先端側軸部（先端部）
３３６  Ｌ字部３６（接触部、第２の被規制部）
３４０  被規制部
３７０  開口部
３７１  中央開口部
３７２  規制部
３７３  底部側規制部（第２の規制部）
４１２  第１壁部
４１６  第２壁部
４５０  サポート部材（底部側支持部材）
【図１】
0006785637.tif 000002
【図２】
0006785637.tif 000003
【図３】
0006785637.tif 000004
【図４】
0006785637.tif 000005
【図５】
0006785637.tif 000006
【図６】
0006785637.tif 000007
【図７】
0006785637.tif 000008
【図８】
0006785637.tif 000009
【図９】
0006785637.tif 000010
【図１０】
0006785637.tif 000011
【図１１】
0006785637.tif 000012
【図１２】
0006785637.tif 000013